【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】  インターフェースサポートフレームワークを利用してモバイルコンピューティング環境上で情報を獲得するための方法であって、
（ａ）シンクライアントコンピュータ上で、ユーザ入力に部分的に基づいて照会を作成する工程と、
（ｂ）前記インターフェースサポートフレームワークを利用して、ネットワークに情報の照会を行う工程と、
（ｃ）前記インターフェースサポートフレームワークを介して、前記ネットワークから前記情報の照会に対する応答を受信する工程と、
（ｄ）前記シンクライアントコンピュータ上で、アプリケーションツールを利用して前記情報および前記応答を処理する工程であって、前記応答は、パターンテンプレートに基づいて、前記アプリケーションツールによってフィルタリングされる、工程と、
（ｅ）前記インターフェースサポートフレームワークを利用し、ユーザに対して情報を表示する工程と
を備える方法。
【請求項２】  インターフェースサポートフレームワークを利用してモバイルコンピューティング環境上で情報を獲得するための請求項１記載の方法であって、
前記パターンテンプレートは、複数のワードパターンを含む、方法。
【請求項３】  インターフェースサポートフレームワークを利用してモバイルコンピューティング環境上で情報を獲得するための請求項１記載の方法であって、
前記インターフェースサポートフレームワークはモバイルポータルサーバを含む、方法。
【請求項４】  インターフェースサポートフレームワークを利用してモバイルコンピューティング環境上で情報を獲得するための請求項１記載の方法であって、
前記インターフェースサポートフレームワークはインテリジェントエージェントプロセッサを含む、方法。
【請求項５】  インターフェースサポートフレームワークを利用してモバイルコンピューティング環境上で情報を獲得するための請求項１記載の方法であって、
前記インターフェースサポートフレームワークは、カスタマデータを照会するカスタマインテリジェンスフレームワークを含む、方法。
【請求項６】  インターフェースサポートフレームワークを利用してモバイルコンピューティング環境上で情報を獲得するための請求項１記載の方法であって、
前記インターフェースサポートフレームワークは、情報の暗号化と解読を行うためのセキュリティフレームワークを含む、方法。
【請求項７】  インターフェースサポートフレームワークを利用してモバイルコンピューティング環境上で情報を獲得するための請求項１記載の方法であって、
前記インターフェースサポートフレームワークは、第三者のコンテンツを獲得するためのインターフェースを含む、方法。
【請求項８】  インターフェースサポートフレームワークを利用してモバイルコンピューティング環境上で情報を獲得するための請求項１記載の方法であって、
前記インターフェースサポートフレームワークはモバイルクライアントのサポートを含む、方法。
【請求項９】  インターフェースサポートフレームワークを利用してモバイルコンピューティング環境上で情報を獲得するための請求項２記載の方法であって、更に、
前記応答の一部が前記パターンテンプレートの前記複数のパターンの少なくとも一つに一致可能であるか否かを決定する工程と、
一致した場合にのみ前記応答を表示する工程と、
を備える方法。
【請求項１０】  インターフェースサポートフレームワークを利用してモバイルコンピューティング環境上で情報を獲得する装置であって、
（ａ）プロセッサと、
（ｂ）前記プロセッサの制御下において情報を格納するメモリと、
（ｃ）シンクライアントコンピュータ上で、ユーザ入力に部分的に基づいて照会を作成するロジックと、
（ｄ）前記インターフェースサポートフレームワークを利用して、前記ネットワークに情報の照会を行うロジックと、
（ｅ）前記インターフェースサポートフレームワークを介して、前記情報の照会に対する応答を前記ネットワークから受信するロジックと、
（ｆ）前記シンクライアントコンピュータ上で、アプリケーションツールを利用して前記情報および前記応答を処理するロジックであって、前記応答は、パターンテンプレートに基づいて、前記アプリケーションツールによってフィルタリングされる、ロジックと、
（ｇ）前記インターフェースサポートフレームワークを利用し、ユーザに対して情報を表示するロジックと
を備える装置。
【請求項１１】  コンピュータ読み取り可能な媒体上に組み込まれ、インターフェースサポートフレームワークを利用してモバイルコンピューティング環境上で情報を獲得するコンピュータプログラムであって、
（ａ）シンクライアントコンピュータ上で、ユーザ入力に部分的に基づいて照会を作成するコードセグメントと、
（ｂ）前記インターフェースサポートフレームワークを利用して、ネットワークに情報の照会を行うコードセグメントと、
（ｃ）前記インターフェースサポートフレームワークを介して、前記ネットワークから前記情報の照会に対する応答を受信するコードセグメントと、
（ｄ）前記シンクライアントコンピュータ上で、アプリケーションツールを利用して前記情報および前記応答を処理するコードセグメントであって、前記応答は、パターンテンプレートに基づいて、前記アプリケーションツールによってフィルタリングされる、コードセグメントと、
（ｅ）前記インターフェースサポートフレームワークを利用し、ユーザに対して情報を表示するコードセグメントと
を備えるコンピュータプログラム。
【請求項１２】  コンピュータ読み取り可能な媒体上に組み込まれ、インターフェースサポートフレームワークを利用してモバイルコンピューティング環境上で情報を獲得する請求項１１記載のコンピュータプログラムであって、
前記パターンテンプレートは、複数のワードパターンを含む、コンピュータプログラム。
【請求項１３】  コンピュータ読み取り可能な媒体上に組み込まれ、インターフェースサポートフレームワークを利用してモバイルコンピューティング環境上で情報を獲得する請求項１１記載のコンピュータプログラムであって、
前記インターフェースサポートフレームワークはモバイルポータルサーバを含む、コンピュータプログラム。
【請求項１４】  コンピュータ読み取り可能な媒体上に組み込まれ、インターフェースサポートフレームワークを利用してモバイルコンピューティング環境上で情報を獲得する請求項１１記載のコンピュータプログラムであって、
前記インターフェースサポートフレームワークはインテリジェントエージェントプロセッサを含む、コンピュータプログラム。
【請求項１５】  コンピュータ読み取り可能な媒体上に組み込まれ、インターフェースサポートフレームワークを利用してモバイルコンピューティング環境上で情報を獲得する請求項１１記載のコンピュータプログラムであって、
前記インターフェースサポートフレームワークは、カスタマデータを照会するカスタマインテリジェンスフレームワークを含む、コンピュータプログラム。
【請求項１６】  コンピュータ読み取り可能な媒体上に組み込まれ、インターフェースサポートフレームワークを利用してモバイルコンピューティング環境上で情報を獲得する請求項１１記載のコンピュータプログラムであって、
前記インターフェースサポートフレームワークは、情報の暗号化と解読を行うためのセキュリティフレームワークを含む、コンピュータプログラム。
【請求項１７】  コンピュータ読み取り可能な媒体上に組み込まれ、インターフェースサポートフレームワークを利用してモバイルコンピューティング環境上で情報を獲得する請求項１１記載のコンピュータプログラムであって、
前記インターフェースサポートフレームワークは、第三者のコンテンツを獲得するためのインターフェースを含む、コンピュータプログラム。
【請求項１８】  コンピュータ読み取り可能な媒体上に組み込まれ、インターフェースサポートフレームワークを利用してモバイルコンピューティング環境上で情報を獲得する請求項１１記載のコンピュータプログラムであって、
前記インターフェースサポートフレームワークはモバイルクライアントのサポートを含む、コンピュータプログラム。
【請求項１９】  コンピュータ読み取り可能な媒体上に組み込まれ、インターフェースサポートフレームワークを利用してモバイルコンピューティング環境上で情報を獲得する請求項１２記載のコンピュータプログラムであって、更に、
前記応答の一部が前記パターンテンプレートの前記複数のパターンの少なくとも一つに一致可能であるか否かを決定し、一致した場合にのみ前記応答を表示するコードセグメントを備えるコンピュータプログラム。
【請求項２０】  請求項１記載の方法であって、
前記パターンテンプレートは、句読点で区切られたワードを識別し、大文字で始まる二つのワードを探し出してフルネームを識別し、タイムストリングをパースし、大文字で始まるワードからなる連続したフレーズを社名とトピックと場所の少なくとも一つとして識別するように構成されている、方法。